(57)【要約】【課題】低コストで導入可能な特典情報管理システム及び特典情報管理方法を提供する。【解決手段】移動体通信端末では、制御部が、読取部にてロゴ付き二次元コードが示すＵＲＬを読み取り、そのＵＲＬにアクセスする。ポイント管理サーバでは、制御部が、移動体通信端末によりアクセスされたＵＲＬに対応する獲得ポイント等を二次元コードＤＢから読み出す（ステップＳ２９）。また、制御部は、通信部にて受信したログインＩＤ及びパスワード、若しくは個体番号に対応するポイント残高及びポイントを会員ＤＢから読み出す（ステップＳ３１）。そして、制御部は、二次元コードＤＢから読み出した獲得ポイントを、会員ＤＢから読み出したポイント残高に加算して、ポイント残高を更新するとともに（ステップＳ３２）、ポイント履歴を更新する（ステップＳ３３）。【選択図】図１６
2010250623.tif 000002
【特許請求の範囲】
【請求項１】
通信端末と、該通信端末とネットワークを介して接続され、該通信端末のユーザを特定可能なユーザ識別情報と該ユーザに付与された特典を示すユーザ特典情報とを対応付けて記憶するユーザデータベースを含む第１サーバコンピュータと、を備える特典情報管理システムであって、
前記通信端末は、
二次元コードが示すコードデータを読み取るコードデータ読取手段と、
前記コードデータ読取手段によって読み取った前記コードデータと前記ユーザ識別情報とを前記ネットワークを介して前記第１サーバコンピュータに送信するコードデータ送信手段と、
を含み、
前記第１サーバコンピュータは、
前記コードデータ送信手段によって送信された前記コードデータと前記ユーザ識別情報とを受信するコードデータ受信手段と、
前記コードデータ受信手段によって受信した前記コードデータに基づいて、前記ユーザデータベースに、該コードデータ受信手段によって受信した前記ユーザ識別情報と対応付けて記憶されている前記ユーザ特典情報を更新するユーザ特典情報更新手段と、
を含む、
ことを特徴とする特典情報管理システム。
【請求項２】
前記第１サーバコンピュータは、
前記コードデータと所定の特典を示すコード特典情報とを対応付けて記憶するコードデータベースと、
前記コードデータ受信手段によって受信した前記コードデータに対応する前記コード特典情報を前記コードデータベースのうちから検出するコード特典情報検出手段と、
をさらに含み、
前記ユーザ特典情報更新手段は、
前記コード特典情報検出手段によって検出した前記コード特典情報が示す特典を、前記ユーザ特典情報が示す特典に付加することによって、該ユーザ特典情報を更新する、
ことを特徴とする請求項１に記載の特典情報管理システム。
【請求項３】
前記ユーザデータベースは、
前記ユーザ識別情報と、前記ユーザ特典情報としてポイント残高と、を対応付けて記憶し、
前記コードデータベースは、
前記コードデータと、前記コード特典情報として獲得ポイントと、を対応付けて記憶し、
前記コード特典情報検出手段は、
前記コードデータ受信手段によって受信した前記コードデータに対応する前記獲得ポイントを前記コードデータベースのうちから検出し、
前記ユーザ特典情報更新手段は、
前記コード特典情報検出手段によって検出した前記獲得ポイントを、前記ポイント残高に加算することによって、該ポイント残高を更新する、
ことを特徴とする請求項２に記載の特典情報管理システム。
【請求項４】
前記第１サーバコンピュータと前記ネットワークを介して接続され、店舗で販売される商品を特定可能な商品特定情報と該商品に付与された前記二次元コードを特定可能なコード識別情報とを対応付けて記憶する商品データベースを含む第２サーバコンピュータをさらに備え、
前記コードデータベースは、
前記コードデータ及び前記コード特典情報に対応して前記コード識別情報をさらに記憶し、
前記第１サーバコンピュータは、
前記コードデータ受信手段によって受信した前記コードデータに対応する前記コード識別情報を前記コードデータベースのうちから検出するコード識別情報検出手段と、
前記コード識別情報検出手段によって検出した前記コード識別情報を前記ネットワークを介して前記第２サーバコンピュータに送信するコード識別情報送信手段と、
をさらに含み、
前記第２サーバコンピュータは、
前記コード識別情報送信手段によって送信された前記コード識別情報を受信するコード識別情報受信手段と、
前記コード識別情報受信手段によって受信した前記コード識別情報に対応する前記商品識別情報を前記商品データベースのうちから検出する商品識別情報検出手段と、
前記商品識別情報検出手段による前記商品識別情報の検出回数を計数することによって、前記商品の販売個数を計数する販売個数計数手段と、
を含む、
ことを特徴とする請求項２又は３に記載の特典情報管理システム。
【請求項５】
前記商品データベースは、
前記商品識別情報及び前記コード識別情報に対応して前記商品を販売した店舗を特定可能な店舗識別情報をさらに記憶し、
前記商品識別情報検出手段は、
前記コード識別情報受信手段によって受信した前記コード識別情報に対応する前記商品識別情報と前記店舗識別情報とを前記商品データベースのうちから検出し、
前記販売個数計数手段は、
前記商品識別情報検出手段による前記商品識別情報の検出回数を、前記店舗識別情報毎に計数することによって、前記商品の販売個数を前記店舗毎に計数する、
ことを特徴とする請求項４に記載の特典情報管理システム。
【請求項６】
前記第１サーバコンピュータは、
前記コードデータ受信手段によって前記コードデータを受信したときに、前記ユーザ特典情報更新手段によって該コードデータに基づく前記ユーザ特典情報の更新を未だ実行していないか否かを判別する更新判別手段をさらに含み、
前記ユーザ特典情報更新手段は、
前記更新判別手段によって前記ユーザ特典情報の更新を未だ実行していないと判別した場合にのみ、前記コードデータ受信手段によって受信した前記コードデータに基づく前記ユーザ特典情報の更新を実行する、
ことを特徴とする請求項１乃至５のいずれか１項に記載の特典情報管理システム。
【請求項７】
前記コードデータ読取手段は、
前記コードデータとしてＵＲＬ（Uniform Resource Locator）を読み取り、
前記コードデータ送信手段は、
前記コードデータ読取手段によって読み取った前記ＵＲＬにアクセスして、前記ユーザ識別情報を前記ネットワークを介して前記第１サーバコンピュータに送信する、
ことを特徴とする請求項１乃至６のいずれか１項に記載の特典情報管理システム。
【請求項８】
通信端末と、該通信端末とネットワークを介して接続され、該通信端末のユーザを特定可能なユーザ識別情報と該ユーザに付与された特典を示すユーザ特典情報とを対応付けて記憶するユーザデータベースを含む第１サーバコンピュータと、を備える特典情報管理システムにおける特典情報管理方法であって、
前記通信端末が、二次元コードが示すコードデータを読み取るコードデータ読取ステップと、
前記通信端末が、前記データ読取ステップによって読み取った前記コードデータと前記ユーザ識別情報とを前記ネットワークを介して前記第１サーバコンピュータに送信するコードデータ送信ステップと、
前記第１サーバコンピュータが、前記コードデータ送信ステップによって送信された前記コードデータと前記ユーザ識別情報とを受信するコードデータ受信ステップと、
前記第１サーバコンピュータが、前記コードデータ受信ステップによって受信した前記コードデータに基づいて、前記ユーザデータベースに、該コードデータ受信ステップによって受信した前記ユーザ識別情報と対応付けて記憶されている前記ユーザ特典情報を更新するユーザ特典情報更新ステップと、
を含む、
ことを特徴とする特典情報管理方法。
【発明の詳細な説明】
【技術分野】
【０００１】
本発明は、特典情報管理システム及び特典情報管理方法に関し、特に、低コストで導入可能な特典情報管理システム及び特典情報管理方法に関する。
【背景技術】
【０００２】
会員が加盟店を利用した場合に、売り上げに応じたポイントをその会員の獲得ポイントとして集計するポイント集計システムとしては、複数の加盟店端末を備えたネットワークと接続して、加盟店を会員が利用した際の売り上げ金に応じたポイントをその会員の獲得ポイントとして集計するポイントサービス機能をネットワークに付加する技術が提案されている（例えば特許文献１参照）。
【先行技術文献】
【特許文献】
【０００３】
【特許文献１】特許第２９６５５１８号公報
【発明の概要】
【発明が解決しようとする課題】
【０００４】
しかしながら、特許文献１に記載のポイント集計システムでは、加盟店が複数の店舗を有する場合、店舗毎に加盟店端末を設置しなければならなかったため、その導入に膨大なコストがかかるといった問題があった。
【０００５】
また、特許文献１に記載のポイント集計システムでは、ポイント還元率を加盟店毎に異ならせることはできたが、同一加盟店では、ポイント還元率を常に同一にせねばならず、ポイント還元率を商品毎に異ならせるなどの柔軟な対応ができないという問題もあった。
【０００６】
本発明は、上記の課題を解決するためになされたものであり、低コストで導入可能な特典情報管理システム及び特典情報管理方法を提供することを目的とする。
【課題を解決するための手段】
【０００７】
上記目的を達成するため、本発明の第１の観点に係る特典情報管理システムは、通信端末と、該通信端末とネットワークを介して接続され、該通信端末のユーザを特定可能なユーザ識別情報と該ユーザに付与された特典を示すユーザ特典情報とを対応付けて記憶するユーザデータベースを含む第１サーバコンピュータと、を備える特典情報管理システムであって、前記通信端末は、二次元コードが示すコードデータを読み取るコードデータ読取手段と、前記コードデータ読取手段によって読み取った前記コードデータと前記ユーザ識別情報とを前記ネットワークを介して前記第１サーバコンピュータに送信するコードデータ送信手段と、を含み、前記第１サーバコンピュータは、前記コードデータ送信手段によって送信された前記コードデータと前記ユーザ識別情報とを受信するコードデータ受信手段と、前記コードデータ受信手段によって受信した前記コードデータに基づいて、前記ユーザデータベースに、該コードデータ受信手段によって受信した前記ユーザ識別情報と対応付けて記憶されている前記ユーザ特典情報を更新するユーザ特典情報更新手段と、を含む、ことを特徴とする。
【０００８】
また、上記の特典情報管理システムにおいて、前記第１サーバコンピュータは、前記コードデータと所定の特典を示すコード特典情報とを対応付けて記憶するコードデータベースと、前記コードデータ受信手段によって受信した前記コードデータに対応する前記コード特典情報を前記コードデータベースのうちから検出するコード特典情報検出手段と、をさらに含み、前記ユーザ特典情報更新手段は、前記コード特典情報検出手段によって検出した前記コード特典情報が示す特典を、前記ユーザ特典情報が示す特典に付加することによって、該ユーザ特典情報を更新する、ようにしてもよい。
【０００９】
さらに、上記の特典情報管理システムにおいて、前記ユーザデータベースは、前記ユーザ識別情報と、前記ユーザ特典情報としてポイント残高と、を対応付けて記憶し、前記コードデータベースは、前記コードデータと、前記コード特典情報として獲得ポイントと、を対応付けて記憶し、前記コード特典情報検出手段は、前記コードデータ受信手段によって受信した前記コードデータに対応する前記獲得ポイントを前記コードデータベースのうちから検出し、前記ユーザ特典情報更新手段は、前記コード特典情報検出手段によって検出した前記獲得ポイントを、前記ポイント残高に加算することによって、該ポイント残高を更新する、ようにしてもよい。
【００１０】
また、上記の特典情報管理システムにおいて、前記第１サーバコンピュータと前記ネットワークを介して接続され、店舗で販売される商品を特定可能な商品特定情報と該商品に付与された前記二次元コードを特定可能なコード識別情報とを対応付けて記憶する商品データベースを含む第２サーバコンピュータをさらに備え、前記コードデータベースは、前記コードデータ及び前記コード特典情報に対応して前記コード識別情報をさらに記憶し、前記第１サーバコンピュータは、前記コードデータ受信手段によって受信した前記コードデータに対応する前記コード識別情報を前記コードデータベースのうちから検出するコード識別情報検出手段と、前記コード識別情報検出手段によって検出した前記コード識別情報を前記ネットワークを介して前記第２サーバコンピュータに送信するコード識別情報送信手段と、をさらに含み、前記第２サーバコンピュータは、前記コード識別情報送信手段によって送信された前記コード識別情報を受信するコード識別情報受信手段と、前記コード識別情報受信手段によって受信した前記コード識別情報に対応する前記商品識別情報を前記商品データベースのうちから検出する商品識別情報検出手段と、前記商品識別情報検出手段による前記商品識別情報の検出回数を計数することによって、前記商品の販売個数を計数する販売個数計数手段と、を含む、ようにしてもよい。
【００１１】
さらに、上記の特典情報管理システムにおいて、前記商品データベースは、前記商品識別情報及び前記コード識別情報に対応して前記商品を販売した店舗を特定可能な店舗識別情報をさらに記憶し、前記商品識別情報検出手段は、前記コード識別情報受信手段によって受信した前記コード識別情報に対応する前記商品識別情報と前記店舗識別情報とを前記商品データベースのうちから検出し、前記販売個数計数手段は、前記商品識別情報検出手段による前記商品識別情報の検出回数を、前記店舗識別情報毎に計数することによって、前記商品の販売個数を前記店舗毎に計数する、ようにしてもよい。
【００１２】
また、上記の特典情報管理システムにおいて、前記第１サーバコンピュータは、前記コードデータ受信手段によって前記コードデータを受信したときに、前記ユーザ特典情報更新手段によって該コードデータに基づく前記ユーザ特典情報の更新を未だ実行していないか否かを判別する更新判別手段をさらに含み、前記ユーザ特典情報更新手段は、前記更新判別手段によって前記ユーザ特典情報の更新を未だ実行していないと判別した場合にのみ、前記コードデータ受信手段によって受信した前記コードデータに基づく前記ユーザ特典情報の更新を実行する、ようにしてもよい。
【００１３】
さらに、上記の特典情報管理システムにおいて、前記コードデータ読取手段は、前記コードデータとしてＵＲＬ（Uniform  Resource  Locator）を読み取り、前記コードデータ送信手段は、前記コードデータ読取手段によって読み取った前記ＵＲＬにアクセスして、前記ユーザ識別情報を前記ネットワークを介して前記第１サーバコンピュータに送信する、ようにしてもよい。
【００１４】
上記目的を達成するため、本発明の第２の観点に係る特典情報管理方法は、通信端末と、該通信端末とネットワークを介して接続され、該通信端末のユーザを特定可能なユーザ識別情報と該ユーザに付与された特典を示すユーザ特典情報とを対応付けて記憶するユーザデータベースを含む第１サーバコンピュータと、を備える特典情報管理システムにおける特典情報管理方法であって、前記通信端末が、二次元コードが示すコードデータを読み取るコードデータ読取ステップと、前記通信端末が、前記データ読取ステップによって読み取った前記コードデータと前記ユーザ識別情報とを前記ネットワークを介して前記第１サーバコンピュータに送信するコードデータ送信ステップと、前記第１サーバコンピュータが、前記コードデータ送信ステップによって送信された前記コードデータと前記ユーザ識別情報とを受信するコードデータ受信ステップと、前記第１サーバコンピュータが、前記コードデータ受信ステップによって受信した前記コードデータに基づいて、前記ユーザデータベースに、該コードデータ受信ステップによって受信した前記ユーザ識別情報と対応付けて記憶されている前記ユーザ特典情報を更新するユーザ特典情報更新ステップと、を含む、ことを特徴とする。
【発明の効果】
【００１５】
本発明によれば、低コストで導入可能な特典情報管理システム及び特典情報管理方法を提供することができる。
【図面の簡単な説明】
【００１６】
【図１】ポイント管理システムの構成例を示すブロック図である。
【図２】（ａ）は、ロゴ付き二次元コードの一例を示す平面図であり、（ｂ）は、二次元コードの一例を示す平面図である。
【図３】移動体通信端末の構成例を示すブロック図である。
【図４】移動体通信端末の画面表示例を示す図である。
【図５】移動体通信端末の画面表示例を示す図である。
【図６】移動体通信端末の画面表示例を示す図である。
【図７】移動体通信端末の画面表示例を示す図である。
【図８】移動体通信端末の画面表示例を示す図である。
【図９】ポイント管理サーバの構成例を示すブロック図である。
【図１０】（ａ）は、二次元コードＤＢの構成例を示すブロック図であり、（ｂ）は、会員ＤＢの構成例を示すブロック図であり、（ｃ）は、カタログＤＢの構成例を示すブロック図である。
【図１１】企業サーバの構成例を示すブロック図である。
【図１２】（ａ）は、総販売個数ＤＢの構成例を示すブロック図であり、（ｂ）は、店別販売個数ＤＢの構成例を示すブロック図である。
【図１３】ポイント加算処理の一例を示すフローチャートである。
【図１４】ポイント加算処理の一例を示すフローチャートである。
【図１５】ポイント加算処理の一例を示すフローチャートである。
【図１６】ポイント加算処理の一例を示すフローチャートである。
【図１７】販売個数加算処理の一例を示すフローチャートである。
【図１８】ポイント交換処理の一例を示すフローチャートである。
【図１９】ポイント交換処理の一例を示すフローチャートである。
【図２０】ロゴ付き二次元コードの変形例を示す平面図である。
【発明を実施するための形態】
【００１７】
以下、本発明を実施するための形態について説明する。
【００１８】
まず、本実施形態に係るポイント管理システムの構成について、図面を参照しつつ説明する。
【００１９】
図１は、ポイント管理システム１の構成例を示すブロック図である。
【００２０】
ポイント管理システム１は、図１に示すように、複数のロゴ付き二次元コード１０ｉ（ｉは自然数）と、複数の移動体通信端末２０ｊ（ｊは自然数）と、ポイント管理サーバ３０と、企業サーバ４０と、から構成され、例えば移動体通信網などのネットワーク５０を介して相互に接続されている。
【００２１】
図２（ａ）は、ロゴ付き二次元コードの一例を示す平面図であり、図２（ｂ）は、二次元コードの一例を示す平面図である。
【００２２】
ロゴ付き二次元コード１０ｉは、図２（ａ）に示すように、例えばＱＲ（Quick Response）コード（登録商標）などの二次元コード１１と、ユーザがその内容を視認可能なロゴと、を重ね合わせて形成されるシール状の印刷物であって、例えば店舗で販売される商品などに添付されている。
【００２３】
二次元コード１１は、図２（ｂ）に示すように、特定比率の正方形を組み合わせた３つの位置決めシンボル１２ａ、１２ｂ、及び１２ｃを備え、この位置決めシンボル１２ａ、１２ｂ、及び１２ｃ間に、例えば複数の正方形のセルがマトリクス状に配置されている。
【００２４】
二次元コード１１では、複数のセルのうち、所定明度未満のセル（この例では黒）と、所定明度以上のセル（この例では白）と、の分布パターンによって、各種情報が表現される。
【００２５】
そして、図２（ａ）に示すロゴ付き二次元コード１０ｉは、「３ポイント」との文字を視認可能に表現するロゴのうち所定明度以上の領域に、所定明度未満の円形のセル（この例では黒色のセル）を重ね合わせる一方で、ロゴのうち所定明度未満の領域に、所定明度以上の円形のセル（この例では白色のセル）を重ね合わせて形成される。
【００２６】
ロゴ付き二次元コード１０ｉでは、ロゴのうち所定明度未満の領域及び所定明度未満のセルと、ロゴのうち所定明度以上の領域及び所定明度以上のセルと、の分布パターンによって、ロゴ付き二次元コード１０ｉ毎に付与されたＵＲＬ（Uniform Resource Locator）などの各種情報が表現される。
【００２７】
なお、ロゴ付き二次元コード１０ｉにおけるセルの形状は、任意であり、本実施形態のように、円形であってもよいし、多角形や星形などであってもよい。
【００２８】
図３は、移動体通信端末の構成例を示すブロック図である。
【００２９】
移動体通信端末２０ｊは、例えば携帯電話などであって、図３に示すように、読取部２１と、表示部２２と、記憶部２３と、操作部２４と、通信部２５と、制御部２６と、を備え、これらは、バスを介して相互に接続されている。
【００３０】
読取部２１は、例えば汎用の二次元コードリーダなどから構成され、ロゴ付き二次元コード１０ｉを、例えばＣＣＤ（Charge−Coupled  Device）などの撮像素子を用いて撮像し、撮像により得られた画像から、ロゴ付き二次元コード１０ｉが示すＵＲＬなどの各種情報を読み取って制御部２６に供給する。
【００３１】
具体的に、読取部２１は、図２（ａ）に示すロゴ付き二次元コード１０ｉにおいて、ロゴのうち所定明度未満の領域及び所定明度未満のセルを「０」と認識する一方で、ロゴのうち所定明度以上の領域及び所定明度以上のセルを「１」と認識する。
【００３２】
そして、読取部２１は、このようにして認識した「０」と「１」とからなる二値データの分布パターンから、ＵＲＬなどの各種情報を読み取る。
【００３３】
表示部２２は、例えばＬＣＤ（Liquid Crystal Display）などから構成され、制御部２６による制御の下、読取部２１によって撮像した画像をスルー画像として表示したり、読取部２１にて読み取ったＵＲＬを表示したりする。
【００３４】
また、表示部２２には、例えば図４に示すログイン画面や、図５に示す会員登録画面、図６に示すマイページ、図７に示すポイント確認画面、図８に示すポイントカタログなど表示される。
【００３５】
記憶部２３は、例えば不揮発性メモリなどから構成され、ＯＳ（Operating System）や各種プログラムなどを記憶する。
【００３６】
また、記憶部２３は、個体番号未登録フラグと、自動ログインフラグと、を備えている。
【００３７】
個体番号未登録フラグは、図５に示す会員登録画面にて入力された項目データをポイント管理サーバ３０に送信したときに、オン状態にセットされ、最初のログインがされたときに、クリアされてオフ状態になる。
【００３８】
ここで、項目データには、ユーザの名前（又はニックネーム）や、ユーザの連絡先（例えば住所、電話番号、郵便番号、及びメールアドレスなど）、ユーザの業種又は職種、ログインＩＤ及びパスワードなどが含まれる。
【００３９】
自動ログインフラグは、図４に示すログイン画面に表示される「自動ログイン」ボタンがクリックされたときに、オン状態にセットされる。
【００４０】
操作部２４は、ユーザによって操作されるもので、例えば十字カーソルキーや、数字や文字を入力するための英数字ボタン等から構成されている。
【００４１】
ユーザは、操作部２４を操作して、読取部２１によるＵＲＬの読取や、読み取ったＵＲＬへのアクセスを指示したり、図４に示すログイン画面にてログインＩＤ（Identification Data）及びパスワードを入力したり、図５に示す会員登録画面にて項目データを入力したりする。
【００４２】
通信部２５は、例えば無線通信装置などから構成され、制御部２６による制御の下、ログインＩＤや、パスワード、個体番号、項目データ、図８に示すポイントカタログにて指定された商品名などをネットワーク５０を介してポイント管理サーバ３０に送信する。
【００４３】
また、通信部２５は、ポイント管理サーバ３０からネットワーク５０を介して送信された会員登録完了通知やポイント加算完了通知などを受信する。
【００４４】
制御部２６は、例えばＣＰＵ（Central Processing Unit）、ＲＯＭ（Read Only Memory）、及びＲＡＭ（Random Access Memory）等から構成され、ＣＰＵが、ＲＡＭをワークメモリとして用い、ＲＯＭや記憶部２３等に記憶されている各種プログラムを適宜実行することによって、移動体通信端末２０ｊの各部の動作を制御する。
【００４５】
また、ＲＯＭには、移動体通信端末２０ｊの個体番号などが記憶されている。
【００４６】
図９は、ポイント管理サーバの構成例を示すブロック図である。
【００４７】
ポイント管理サーバ３０は、例えばフレームワークやワークステーションなどから構成され、図９に示すように、通信部３１と、表示部３２と、記憶部３３と、制御部３４と、を備え、これらは、バスを介して相互に接続されている。
【００４８】
通信部３１は、例えばＮＩＣ（Network Interface Card）などの通信装置を含んで構成され、移動体通信端末２０ｊからネットワーク５０を介して送信されたログインＩＤや、パスワード、個体番号、項目データ、商品名などを受信する。
【００４９】
また、通信部３１は、会員登録が完了したことを通知する会員登録完了通知や、ポイントの加算が完了したことを通知するポイント加算完了通知などをネットワーク５０を介して移動体通信端末２０ｊに送信したり、ロゴ付き二次元コード１０ｉを特定可能な二次元コードＩＤなどをネットワーク５０を介して企業サーバ４０に送信したりする。
【００５０】
表示部３２は、例えばＬＣＤなどから構成され、制御部３４による制御の下、商品の出荷をオペレータに指示する出荷指示画面などを表示する。
【００５１】
記憶部３３は、例えばハードディスクドライブなどから構成され、ＯＳや各種プログラムなどを記憶する。また、記憶部３３は、二次元コードＤＢ３３１（Date Base）と、会員ＤＢ３３２と、カタログＤＢ３３３と、を備えている。
【００５２】
図１０（ａ）は、二次元コードＤＢの構成例を示すブロック図である。
【００５３】
二次元コードＤＢ３３１は、図１０（ａ）に示すように、ロゴ付き二次元コード１０ｉを特定可能な二次元コードＩＤと、ロゴ付き二次元コード１０ｉ毎に付与されたＵＲＬと、獲得ポイント（この例では「３」）と、使用済フラグと、を対応付けて記憶する。
【００５４】
ここで、使用済フラグは、獲得ポイントが加算されたときに、オン状態にセットされる。
【００５５】
図１０（ｂ）は、会員ＤＢの構成例を示すブロック図である。
【００５６】
会員ＤＢ３３２は、図１０（ｂ）に示すように、項目データと、個体番号と、ポイント残高と、ポイント履歴と、を対応付けて記憶する。
【００５７】
図１０（ｃ）は、カタログＤＢの構成例を示すブロック図である。
【００５８】
カタログＤＢ３３３は、図１０（ｃ）に示すように、交換可能な商品名と、交換ポイントと、を対応付けて記憶する。
【００５９】
図９に示す制御部３４は、例えばＣＰＵ、ＲＯＭ、及びＲＡＭ等から構成されている。ＣＰＵは、ＲＡＭをワークメモリとして用い、ＲＯＭや記憶部３３等に記憶されている各種プログラムを適宜実行することによって、ポイント管理サーバ３０の各部の動作を制御する。
【００６０】
図１１は、企業サーバの構成例を示すブロック図である。
【００６１】
企業サーバ４０は、例えばフレームワークやワークステーションなどから構成され、図１１に示すように、通信部４１と、記憶部４２と、制御部４３と、を備え、これらは、バスを介して相互に接続されている。
【００６２】
通信部４１は、例えばＮＩＣなどの通信装置を含んで構成され、ポイント管理サーバ３０からネットワーク５０を介して送信された二次元コードＩＤなどを受信する。
【００６３】
記憶部４２は、例えばハードディスクドライブなどから構成され、ＯＳや各種プログラムなどを記憶する。
【００６４】
また、記憶部４２は、総販売個数ＤＢ４２１と、一又は複数の店別販売個数ＤＢ４２２ｋ（ｋは自然数）と、を備えている。
【００６５】
図１２（ａ）は、総販売個数ＤＢの構成例を示すブロック図である。
【００６６】
総販売個数ＤＢ４２１は、図１２（ａ）に示すように、二次元コードＩＤと、二次元コードＩＤにより特定されるロゴ付き二次元コード１０ｉが添付された商品名と、その商品の総販売個数と、その商品を販売した店舗を特定可能な店舗ＩＤと、を対応付けて記憶する。
【００６７】
図１２（ｂ）は、店別販売個数ＤＢの構成例を示すブロック図である。
【００６８】
店別販売個数ＤＢ４２２ｋは、図１２（ｂ）に示すように、商品名と、その商品の店別販売個数と、を対応付けて記憶する。
【００６９】
図１１に示す制御部４３は、例えばＣＰＵ、ＲＯＭ、及びＲＡＭ等から構成されている。ＣＰＵは、ＲＡＭをワークメモリとして用い、ＲＯＭや記憶部４２等に記憶されている各種プログラムを適宜実行することによって、企業サーバ４０の各部の動作を制御する。
【００７０】
次に、上記構成を備えるポイント管理システム１が実行する各種処理について図面を参照しつつ説明する。
【００７１】
移動体通信端末２０ｊでは、制御部２６が、まず、ユーザによる操作部２４での操作に対応して、読取部２１にて、商品などに添付されたシール状のロゴ付き二次元コード１０ｉが示すＵＲＬを読み取り、読み取ったＵＲＬを表示部２２に表示する。
【００７２】
そして、ユーザによる操作部２４の操作により、表示部２２に表示されたＵＲＬへのアクセスが指示されると、制御部２６は、下記のポイント加算処理を開始する。
【００７３】
図１３〜図１６は、ポイント加算処理の一例を示すフローチャートである。
【００７４】
このポイント加算処理において、制御部２６は、まず、図１３に示すように、読取部２１にて読み取ったＵＲＬにアクセスして（ステップＳ１）、ログイン画面表示データをポイント管理サーバ３０から取得する。
【００７５】
次に、制御部２６は、記憶部２３に設けられた自動ログインフラグがオンであるか否かを判別し（ステップＳ２）、オフであれば（ステップＳ２；Ｎｏ）、図４に示すログイン画面を表示部２２に表示する（ステップＳ３）。
【００７６】
続いて、制御部２６は、ユーザによる操作部２４の操作により、ログイン画面に表示された複数の項目のうち、「初めての方はこちら」との項目が選択されたか否かを判別する（ステップＳ４）。
【００７７】
ここで、「初めての方はこちら」との項目が選択されていれば（ステップＳ４；Ｙｅｓ）、制御部２６は、会員登録画面表示データをポイント管理サーバ３０から取得して、図５に示す会員登録画面を表示部２２に表示する（ステップＳ５）。
【００７８】
続いて、制御部２６は、ユーザによる操作部２４の操作により、会員登録画面に項目データが入力された状態で、確定アイコンがクリックされたか否かを判別し（ステップＳ６）、クリックされていなければ（ステップＳ６；Ｎｏ）、ループして待つ。
【００７９】
その後、確定アイコンがクリックされると（ステップＳ６；Ｙｅｓ）、制御部２６は、項目データを通信部２５からネットワーク５０を介してポイント管理サーバ３０に送信する（図１４に示すステップＳ７）。
【００８０】
そして、ポイント管理サーバ３０では、制御部３４が、移動体通信端末２０ｊから送信された項目データを通信部３１にて受信し（ステップＳ８）、会員ＤＢ３３２に記憶することにより、会員登録を行うとともに（ステップＳ９）、会員登録完了通知を通信部３１からネットワーク５０を介して移動体通信端末２０ｊに送信する（ステップＳ１０）。
【００８１】
そして、移動体通信端末２０ｊでは、制御部２６が、ポイント管理サーバ３０から送信された会員登録完了通知を通信部２５にて受信した後（ステップＳ１１）、会員登録が完了したことを示す会員登録完了画面を表示部２２に表示するとともに（ステップＳ１２）、記憶部２３に設けられた個体番号未登録フラグをオン状態にセットする（ステップＳ１３）。
【００８２】
その後、制御部２６は、所定期間の経過後、又はユーザによる操作部２４の操作により、ログイン画面への移動が指示されたときに、ステップＳ３の処理へとリターンする。
【００８３】
これに対して、「初めての方はこちら」との項目が選択されていないと判別した場合（図１３に示すステップＳ４；Ｎｏ）、制御部２６は、ユーザによる操作部２４の操作により、ログイン画面に表示された複数の項目のうち、「自動ログイン」との項目が選択されたか否かを判別する（ステップＳ１４）。
【００８４】
ここで、「自動ログイン」との項目が選択されていれば（ステップＳ１４；Ｙｅｓ）、制御部２６は、自動ログインフラグをオン状態にセットする一方で（ステップＳ１５）、選択されていなければ（ステップＳ１４；Ｎｏ）、ステップＳ１５の処理をスキップする。
【００８５】
続いて、制御部２６は、ユーザによる操作部２４の操作により、ログイン画面にログインＩＤ及びパスワードが入力された後に、ログイン画面に表示された複数の項目のうち、「ＩＤ及びパスログイン」との項目が選択されたか、又は「個体番号でログイン」との項目が選択されたか否かを判別する（ステップＳ１６）。
【００８６】
ここで、「ＩＤ及びパスでログイン」との項目、及び「個体番号でログイン」との項目のいずれも選択されていなければ（ステップＳ１６；Ｎｏ）、制御部２６は、ステップＳ４の処理にリターンする。
【００８７】
これに対して、自動ログインフラグがオンであると判別した場合（ステップＳ２；Ｙｅｓ）、「ＩＤ及びパスワードでログイン」との項目及び「個体番号でログイン」との項目のいずれかが選択された場合（ステップＳ１６；Ｙｅｓ）、若しくは図１４に示すステップＳ１３の処理を実行した後、制御部２６は、個体番号未登録フラグがオンであるか否かを判別する（図１５に示すステップＳ１７）。
【００８８】
ここで、個体番号未登録フラグがオンであれば（ステップＳ１７；Ｙｅｓ）、制御部２６は、ログインＩＤ及びパスワードとともに、ＲＯＭに記憶されている個体番号を通信部２５からネットワーク５０を介してポイント管理サーバ３０に送信する（ステップＳ１８）。
【００８９】
その後、制御部２６は、個体番号未登録フラグをクリアしてオフ状態にする（ステップＳ１９）。
【００９０】
そして、ポイント管理サーバ３０では、制御部３４が、移動体通信端末２０ｊから送信されたログインＩＤ、パスワード、及び個体番号を通信部３１にて受信して（ステップＳ２０）、個体番号をログインＩＤ及びパスワードと対応付けて会員ＤＢ３３２に記憶する（ステップＳ２１）。
【００９１】
これに対して、個体番号未登録フラグがオフであれば（ステップＳ１７；Ｎｏ）、制御部２６は、ログインＩＤ及びパスワード、若しくは個体番号を通信部２５からネットワーク５０を介してポイント管理サーバ３０に送信する（ステップＳ２２）。
【００９２】
そして、ポイント管理サーバ３０では、制御部３４が、移動体通信端末２０ｊから送信されたログインＩＤ及びパスワード、若しくは個体番号を受信した後（ステップＳ２３）、移動体通信端末２０ｊによりアクセスされたＵＲＬに対応する使用済フラグを二次元コードＤＢ３３１から読み出して（ステップＳ２４）、使用済フラグがオンであるか否かを判別する（ステップＳ２５）。
【００９３】
ここで、使用済みフラグがオンであれば（ステップＳ２５；Ｙｅｓ）、制御部２６は、ポイント加算不能通知を通信部３１からネットワーク５０を介して移動体通信端末２０ｊに送信する（ステップＳ２６）。
【００９４】
そして、移動体通信端末２０ｊでは、制御部２６が、移動体通信端末２０ｊから送信されたポイント加算不能通知を受信した後（ステップＳ２７）、獲得ポイントの加算ができなかったことを示すポイント加算不能画面を表示部２２に表示してから（ステップＳ２８）、ポイント加算処理を終了する。
【００９５】
これに対して、使用済みフラグがオフであれば（ステップＳ２５；Ｎｏ）、制御部２６は、移動体通信端末２０ｊによりアクセスされたＵＲＬに対応する二次元コードＩＤ、獲得ポイント（この例では「３」）、及び使用済フラグを二次元コードＤＢ３３１から読み出して（図１６に示すステップＳ２９）、二次元コードＩＤを通信部３１からネットワーク５０を介して企業サーバ４０に送信する（ステップＳ３０）。
【００９６】
続いて、制御部３４は、通信部３１にて受信したログインＩＤ及びパスワード、若しくは個体番号に対応するポイント残高及びポイントを会員ＤＢ３３２から読み出して（ステップＳ３１）、二次元コードＤＢ３３１から読み出した獲得ポイントを、会員ＤＢ３３２から読み出したポイント残高に加算して、ポイント残高を更新するとともに（ステップＳ３２）、ポイント履歴を更新する（ステップＳ３３）。
【００９７】
そして、制御部３４は、二次元コードＤＢ３３１から読み出した使用済みフラグをオン状態にセットした後（ステップＳ３４）、ポイント加算完了通知を通信部３１からネットワーク５０を介して移動体通信端末２０ｊに送信する（ステップＳ３５）。
【００９８】
そして、移動体通信端末２０ｊでは、制御部２６が、ポイント管理サーバ３０から送信されたポイント加算完了通知を受信した後（ステップＳ３６）、図７に示すポイント確認画面を表示してから（ステップＳ３７）、ポイント加算処理を終了する。
【００９９】
また、企業サーバ４０では、ポイント管理サーバ３０から送信された二次元コードＩＤを通信部４１にて受信すると、制御部４３は、下記の販売個数計測処理を実行する。
【０１００】
図１７は、販売個数計測処理の一例を示すフローチャートである。
【０１０１】
この販売個数計測処理において、制御部４３は、まず、図１７に示すように、通信部４１にて受信した二次元コードＩＤに対応する商品名、総販売個数、及び店舗ＩＤを総販売個数ＤＢ４２１から読み出して（ステップＳ４１）、総販売個数に１加算して、総販売個数を更新するとともに（ステップＳ４２）、店舗ＩＤに対応する店別販売個数ＤＢ４２２ｋを記憶部４２から検出する（ステップＳ４３）。
【０１０２】
そして、制御部４３は、総販売個数ＤＢから読み出した商品名に対応する店別販売個数を、記憶部４２から検出した店別販売個数ＤＢ４２２ｋから読み出して（ステップＳ４４）、店別販売個数に１加算して、店別販売個数を更新してから（ステップＳ４５）、販売個数計測処理を終了する。
【０１０３】
そして、ユーザによる操作部２４の操作により、ポイント管理サーバ３０のＵＲＬへのアクセスが指示されると、制御部２６は、下記のポイント交換処理を開始する。
【０１０４】
図１８及び図１９は、ポイント交換処理の一例を示すフローチャートである。
【０１０５】
このポイント交換処理において、移動体通信端末２０ｊでは、制御部２６が、まず、図１８に示すように、ポイント管理サーバ３０のＵＲＬにアクセスして（ステップＳ５１）、ログイン画面表示データをポイント管理サーバ３０から取得する。
【０１０６】
次に、制御部２６は、記憶部２３に設けられた自動ログインフラグがオンであるか否かを判別し（ステップＳ５２）、オフであれば（ステップＳ５２；Ｎｏ）、図４に示すログイン画面を表示部２２に表示する（ステップＳ５３）。
【０１０７】
続いて、制御部２６は、ユーザによる操作部２４の操作により、ログイン画面にログインＩＤ及びパスワードが入力された後に、ログイン画面に表示された複数の項目のうち、「ＩＤ及びパスログイン」との項目が選択されたか、又は「個体番号でログイン」との項目が選択されたか否かを判別する（ステップＳ５４）。
【０１０８】
ここで、「ＩＤ及びパスでログイン」との項目、及び「個体番号でログイン」との項目のいずれも選択されていなければ（ステップＳ５４；Ｎｏ）、制御部２６は、ループして待つ。
【０１０９】
これに対して、自動ログインフラグがオンであると判別した場合（ステップＳ５２；Ｙｅｓ）、若しくは「ＩＤ及びパスワードでログイン」との項目及び「個体番号でログイン」との項目のいずれかが選択された場合（ステップＳ５４；Ｙｅｓ）、制御部２６は、ログインＩＤ及びパスワード、若しくは個体番号を通信部２５からネットワーク５０を介してポイント管理サーバ３０に送信する（ステップＳ５５）。
【０１１０】
そして、ポイント管理サーバ３０では、制御部３４が、移動体通信端末２０ｊから送信されたログインＩＤ及びパスワード、若しくは個体番号を通信部３１にて受信した後（ステップＳ５６）、マイページ表示データを通信部３１からネットワーク５０を介して移動体通信端末２０ｊに送信する（ステップＳ５７）。
【０１１１】
そして、移動体通信端末２０ｊでは、制御部２６が、ポイント管理サーバ３０から送信されたマイページ表示データを受信した後（ステップＳ５８）、図６に示すマイページを表示部２２に表示する（ステップＳ５９）。
【０１１２】
続いて、制御部２６は、ユーザによる操作部２４の操作により、マイページ画面に表示された複数の項目のうち、「ポイントカタログを見る」との項目が選択されたか否かを判別し（ステップＳ６０）、選択されていなければ（ステップＳ６０；Ｎｏ）、ループして待つ。
【０１１３】
これに対して、「ポイントカタログを見る」との項目が選択されていれば（ステップＳ６０；Ｙｅｓ）、制御部２６は、ポイントカタログ表示データをポイント管理サーバ３０から取得して、図６に示すポイントカタログを表示部２２に表示する（ステップＳ６１）。
【０１１４】
続いて、制御部２６は、ユーザによる操作部２４の操作により、ポイントカタログに表示された複数の商品のうち、所望の商品が選択されたか否かを判別し（図１９に示すステップＳ６２）、選択されていなければ（ステップＳ６２；Ｎｏ）、ループして待つ。
【０１１５】
これに対して、所望の商品が選択されていれば（ステップＳ６２；Ｙｅｓ）、制御部２６は、その商品名を通信部２５からネットワーク５０を介してポイント管理サーバ３０に送信する（ステップＳ６３）。
【０１１６】
そして、ポイント管理サーバ３０では、制御部３４が、移動体通信端末２０ｊから送信された商品名を通信部３１にて受信し（ステップＳ６４）、商品名に対応する交換ポイントをカタログＤＢ３３３から読み出す（ステップＳ６５）。
【０１１７】
続いて、制御部３４は、通信部３１にて受信したログインＩＤ及びパスワード、若しくは個体番号に対応する項目データ、ポイント残高、及びポイント履歴を会員ＤＢ３３２から読み出して（ステップＳ６６）、商品名から特定される商品の、項目データに含まれる住所への出荷をオペレータに指示する出荷指示画面を表示部３２に表示する（ステップＳ６７）。
【０１１８】
また、制御部３４は、ポイント残高から、カタログＤＢ３３３から読み出した交換ポイント数を減算して、ポイント残高を更新するとともに（ステップＳ６８）、ポイント履歴を更新する（ステップＳ６９）。
【０１１９】
その後、制御部３４は、商品の購入が完了したことを通知する商品購入完了通知を通信部３１からネットワーク５０を介して移動体通信端末２０ｊに送信する（ステップＳ７０）。
【０１２０】
そして、移動体通信端末２０ｊでは、制御部２６が、ポイント管理サーバ３０から送信された商品購入完了通知を受信して（ステップＳ７１）、商品の購入が完了したことを示す商品購入完了画面を表示部２２に表示してから（ステップＳ７２）、ポイント交換処理を終了する。
【０１２１】
以上説明したように、本実施形態に係るポイント管理システム１によれば、ユーザが所持する、ロゴ付き二次元コード１０ｉを読取可能な既存の移動体通信端末２０ｊを用いて、ユーザのポイントを管理することができるので、各店舗に専用の端末を設置したり、会員登録したユーザに専用のカードを配布したりする必要がなくなる。このため、複数の店舗を有する企業であっても、ポイントサービスを容易且つ低コストで導入することができる。
【０１２２】
また、ポイント管理システム１では、商品に添付されるロゴ付き二次元コード１０ｉに応じて、同一企業内でも店舗毎に、或いは同一の店舗内でも商品毎に異なるポイント還元率を設定することができるなど柔軟な対応が可能になる。
【０１２３】
さらに、一度使用されたロゴ付き二次元コード１０ｉは、ポイント管理サーバ３０にて使用済フラグがオン状態にセットされることにより無効化され、再度そのロゴ付き二次元コード１０ｉが示すＵＲＬにアクセスされても、獲得ポイントがポイント残高にさらに加算されるといった不正を防止することができる。
【０１２４】
加えて、商品に添付されるロゴ付き二次元コード１０ｉには、それぞれ固有のＵＲＬが付与され、このＵＲＬに対応する二次元コードＩＤがポイント管理サーバ３０から企業サーバ４０に対して送信される。そして、企業サーバ４０では、この二次元コードＩＤに基づき、販売された商品名、及びその商品を販売した店舗を特定することができるとともに、その商品の全店舗における総販売個数、及び店舗毎の店別販売個数を計数することができる。このため、ポイント管理システム１では、ポイントサービスのみならず、各商品の各企業乃至各店舗における販売個数の管理サービスをも提供することができる。
【０１２５】
なお、本発明は、上記実施形態に限定されず、種々の変形、応用が可能である。以下、本発明に適用可能な上記実施形態の変形態様について、説明する。
【０１２６】
上記実施形態では、二次元コード１１とユーザがその内容を視認可能なロゴとを重ね合わせて形成されるシール状の印刷物であるロゴ付き二次元コード１０ｉが商品に添付されているものとして説明した。しかしながら、本発明はこれに限定されるものではなく、ロゴと重ね合わされていない二次元コード１１であっても構わない。また、商品に添付されるシール状の印刷物以外のもの、例えば商品に直接印刷されているものや、広告に印刷されているもの、或いは商品を購入した際に発行されるレシートに印刷されたものであってもよい。さらには、移動体通信端末２０ｊや汎用コンピュータの表示部に表示されるものであっても構わない。
【０１２７】
また、上記実施の形態において、ユーザは、会員登録を行って、自動ログインの設定をした後でなければ、ロゴ付き二次元コード１０ｉから読み取ったＵＲＬへのアクセスのみで、ポイントを獲得することはできないものとして説明した。しかしながら、本発明はこれに限定されるものではなく、ユーザが会員登録を行う以前であっても、ロゴ付き二次元コード１０ｉから読み取ったＵＲＬへのアクセスのみで、ポイントを獲得できるようにしてもよい。具体的に、図１３に示すステップＳ１の処理では、読取部２１にて読み取ったＵＲＬへのアクセスとともに、個体番号が通信部２５からネットワーク５０を介してポイント管理サーバ３０に送信されればよい。そして、ポイント管理サーバ３０では、制御部３４が、通信部３１にて個体番号を受信した後、図１５に示すステップＳ２４の処理へ進めばよい。この場合、図１０（ｂ）に示す会員ＤＢ３３２には、個体番号と、ポイント残高と、ポイント履歴と、が対応付けて記憶されればよい。その後、ユーザが会員登録を行うときには、項目データとともに個体番号が、移動体通信端末２０ｊからポイント管理サーバ３０に対して送信されるようにし、ポイント管理サーバ３０では、項目データが、個体番号に対応付けて会員ＤＢ３３２に記憶されればよい。
【０１２８】
さらに、上記実施の形態では、ロゴ付き二次元コード１０ｉが、その内容を視認可能に表現するロゴのうち所定明度以上の領域に、所定明度未満の円形のセル（この例では黒色のセル）を重ね合わせる一方で、ロゴのうち所定明度未満の領域に、所定明度以上の円形のセル（この例では白色のセル）を重ね合わせて形成されるものとして説明した。しかしながら、この発明はこれに限定されるものではなく、その内容を視認可能に表現するロゴのうち所定明度未満の領域に、所定明度以上のセル（例えば白色のセル）を重ね合わせて形成されるものであってもよい。
【０１２９】
また、上記実施の形態では、二次元コードがＱＲコード（登録商標）であるものとして説明したが、本発明はこれに限定されるものではなく、二次元コード１１は、データマトリクスや、アズテックコード、コードワン、アレイタグ、ボックス図形コード、マキシコード、ペリコード、ソフトストリップ、ＣＰコード、カルラコード、ウルトラコードなどといった他のマトリクス式の二次元コードであってもよい。あるいは、ＰＤＦ４１７、コード４９、コード１６ｋ、コーダブロックなどといった一次元コードを縦に積み重ねたスタック式の二次元コードであっても構わない。
【０１３０】
さらに、上記実施の形態では、特典としてユーザにポイントが付与されるものとして説明したが、本発明はこれに限定されるものではなく、ユーザに付与される特典は、任意であり、例えばクーポンなどであってもよい。この場合、移動体通信端末２０ｊでは、制御部２６が、図２０に示すようなロゴ付き二次元コードが示すＵＲＬにアクセスして、ポイント管理サーバ３０から、ポイント加算完了通知に代えて、クーポン券表示データを取得する。そして、ユーザは、クーポン券表示データに基づく画像を表示部２２に表示させて、サービス提供先に提示することにより、クーポン券として使用できるようにすればよい。
【０１３１】
また、上記実施形態において、ＣＰＵが実行するプログラムは、予めＲＯＭや記憶部２３、３３、４２等に記憶されるものとして説明したが、本発明はこれに限定されるものではなく、上述の処理を実行させるためのプログラムを、既存の汎用コンピュータに適用することで、上記実施形態に係る移動体通信端末２０ｊや、ポイント管理サーバ３０、企業サーバ４０として機能させてもよい。
【０１３２】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１３３】
さらに、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【符号の説明】
【０１３４】
１    ポイント管理システム
１０ｉ  ロゴ付き二次元コード
１１    二次元コード
１２ａ、１２ｂ、１２ｃ  位置決めシンボル
２０ｊ  移動体通信端末
２１    読取部
２２、３２    表示部
２３、３３、４２    記憶部
２４    操作部
２５、３１、４１    通信部
２６、３４、４３    制御部
３０    ポイント管理サーバ
４０    企業サーバ
５０    ネットワーク
３３１    二次元コードＤＢ
３３２    会員ＤＢ
３３３    カタログＤＢ
４２１    総販売個数ＤＢ
４２２ｋ  店別販売個数ＤＢ
【図３】
2010250623.tif 000003
【図４】
2010250623.tif 000004
【図５】
2010250623.tif 000005
【図６】
2010250623.tif 000006
【図７】
2010250623.tif 000007
【図８】
2010250623.tif 000008
【図９】
2010250623.tif 000009
【図１０】
2010250623.tif 000010
【図１１】
2010250623.tif 000011
【図１２】
2010250623.tif 000012
【図１３】
2010250623.tif 000013
【図１４】
2010250623.tif 000014
【図１５】
2010250623.tif 000015
【図１６】
2010250623.tif 000016
【図１７】
2010250623.tif 000017
【図１８】
2010250623.tif 000018
【図１９】
2010250623.tif 000019
【図１】
2010250623.tif 000020
【図２】
2010250623.tif 000021
【図２０】
2010250623.tif 000022